(57)【特許請求の範囲】
【請求項１】
動作を制御するＣＰＵ（Central Processing Unit）をそれぞれ備え、前記ＣＰＵは前記動作の状況に基づいて動作履歴ログを作成し、動作履歴ログファイルとして出力する複数の処理ユニットと、
前記複数の処理ユニットからの動作履歴ログファイルを管理する保守管理ユニットと
を具備し、
前記保守管理ユニットは、
前記動作履歴ログファイルを記録する保存媒体と、
前記動作履歴ログファイルの前記保存媒体への記録を制御し、前記保存媒体に空き容量がない場合、最も古い動作履歴ログファイルを削除し、削除後の空き部分に前記動作履歴ログファイルを書き込む保守管理制御部と
を備え、
前記処理ユニットのＣＰＵは、自ユニットを識別可能な識別子を付して前記動作履歴ログファイルを作成し、
前記保存媒体は、前記処理ユニットの処理の種類毎に予め設定された容量の領域に分割され、
前記保守管理制御部は、前記動作履歴ログファイルの送信元の処理の種類を前記識別子により判別し、前記動作履歴ログファイルを前記保存媒体内の対応する領域に記録し、前記対応する領域に空き容量がない場合、前記対応する領域内で最も古い動作履歴ログファイルを削除し、削除後の空き部分に前記動作履歴ログファイルを書き込むことを特徴とする映像収録再生装置。
【請求項２】
前記保存媒体内の前記領域の容量は、同一の処理を実行する処理ユニットの数に応じて設定され、
前記保守管理制御部は、前記動作履歴ログファイルの送信元の処理ユニットを前記識別子により判別し、前記動作履歴ログファイルを前記保存媒体内の対応する領域に記録し、前記対応する領域に空き容量がない場合、前記送信元の処理ユニットについての動作履歴ログファイルのうち、最も古い動作履歴ログファイルを削除し、削除後の空き部分に前記動作履歴ログファイルを書き込むことを特徴とする請求項１記載の映像収録再生装置。
【請求項３】
前記保守管理ユニットは、前記動作履歴ログファイルを外部へ出力する外部出力部をさらに備え、
前記保守管理制御部は、前記動作履歴ログファイルを出力するように前記外部出力部を制御することを特徴とする請求項１又は２に記載の映像収録再生装置。
【請求項４】
前記保守管理制御部は、前記保存媒体に記録した動作履歴ログファイルを出力するように前記外部出力部を制御することを特徴とする請求項３記載の映像収録再生装置。
【請求項５】
前記保守管理制御部は、前記動作履歴ログファイルを前記保存媒体に記録するか否か、及び／又は、前記動作履歴ログファイルを外部出力部から出力するか否か、が予め設定され、前記設定に従い、前記動作履歴ログファイルを管理することを特徴とする請求項３記載の映像収録再生装置。
【請求項６】
前記保守管理制御部は、前記外部出力部から出力する動作履歴ログファイルに対して、自装置を識別可能なファイル名を付することを特徴とする請求項３乃至５のいずれかに記載の映像収録再生装置。
【請求項７】
動作を制御するＣＰＵ（Central Processing Unit）をそれぞれ備え、前記ＣＰＵは前記動作の状況に基づいて動作履歴ログを作成し、動作履歴ログファイルとして出力する複数の処理ユニットを具備する映像収録再生装置で用いられる動作履歴ログ管理方法であって、
前記処理ユニットから、自ユニットを識別可能な識別子が付された動作履歴ログファイルを受信し、
前記動作履歴ログファイルの送信元の処理の種類を前記識別子により判別し、
保存媒体において、前記判別した処理の種類用に分割した領域に空き容量があるか否かを判断し、
空き容量がない場合、前記領域内に記録される動作履歴ログファイルのうち、最も古い動作履歴ログファイルを削除し、
前記受信した動作履歴ログファイルを、削除後の空き部分に書き込むことを特徴とする動作履歴ログ管理方法。
【発明の詳細な説明】
【技術分野】
【０００１】
本発明の実施形態は、動作履歴ログを保守管理する映像収録再生装置及びこの装置で用いられる動作履歴ログ管理方法に関する。
【背景技術】
【０００２】
地上デジタル放送に見られるように、放送分野のデジタル化は進んでいる。デジタル化された番組素材は、高画質化が望まれ、大容量化する傾向にある。また、デジタル化された番組素材は、多チャンネル化が望まれる傾向にある。このため、このような番組素材を収録及び再生する映像収録再生装置は、大容量化及び多チャンネル化に対応する必要がある。
【０００３】
映像収録再生装置は、大容量化及び多チャンネル化に対応するため、高い処理能力が求められている。この種の映像収録再生装置は、複数のＣＰＵを備え、複数の処理を並行して実行することで、高い処理能力を実現している。また、映像収録再生装置は、備えられた複数のＣＰＵにより、複数の装置と連携して動作することで、より高度なサービス機能を実現可能となっている。
【０００４】
ところで、この種の映像収録再生装置では、全てのＣＰＵが一枚の基板上に実装されるのではなく、各ＣＰＵを別基板に実装される。映像収録再生装置は、ＣＰＵが実装された基板、及び、基板を複数枚収容した筐体が、求められる処理能力の大小に合わせて、複数個組み合わされて成る。各ＣＰＵは、装置の動作状況を記録しておくため、動作履歴ログを生成する。各ＣＰＵで生成された動作履歴ログは、映像収録再生装置内で保守管理を行うＣＰＵに収集されて一括管理される。このため、動作履歴データを一括して取り出すことが可能であるが、映像収録再生装置の内部保存領域に限りがあるため、内部保存領域が一杯になると新たに動作履歴ログを収拾できないという問題がある。
【先行技術文献】
【特許文献】
【０００５】
【特許文献１】特開２０１０−１８２１９４号公報
【発明の概要】
【発明が解決しようとする課題】
【０００６】
以上のように、従来の映像収録再生装置では、内部保存領域に限りがあるため、内部保存領域が一杯になると新たに動作履歴ログを収拾できないという問題がある。
【０００７】
そこで、目的は、内部保存領域の容量に制限されず、各ＣＰＵで生成される動作履歴ログを一括して管理することが可能な映像収録再生装置及びこの装置で用いられる動作履歴ログ管理方法を提供することにある。
【課題を解決するための手段】
【０００８】
実施形態によれば、映像収録再生装置は、複数の処理ユニット及び保守管理ユニットを具備する。複数の処理ユニットは、動作を制御するＣＰＵ（Central Processing Unit）をそれぞれ備え、前記ＣＰＵは前記動作の状況に基づいて動作履歴ログを作成し、動作履歴ログファイルとして出力する。保守管理ユニットは、保存媒体及び保守管理制御部を備え、前記複数の処理ユニットからの動作履歴ログファイルを管理する。保存媒体は、前記動作履歴ログファイルを記録する。保守管理制御部は、前記動作履歴ログファイルの前記保存媒体への記録を制御し、前記保存媒体に空き容量がない場合、最も古い動作履歴ログファイルを削除し、削除後の空き部分に前記動作履歴ログファイルを書き込む。
【図面の簡単な説明】
【０００９】
【図１】第１の実施形態に係る映像収録再生装置を備える放送番組送出システムの構成例を示す図である。
【図２】図１の映像収録再生装置の機能構成を示すブロック図である。
【図３】図２の保守管理制御部が動作履歴ログファイルをログ保存媒体へ記録する際の実施例１についてのフローチャートを示す図である。
【図４】図２の保守管理制御部が動作履歴ログファイルをログ保存媒体へ記録する際の実施例２についてのフローチャートを示す図である。
【図５】図４の処理でのログ保存媒体の記録領域を示す図である。
【図６】図２のログ保存媒体の記録領域のその他の例を示す図である。
【図７】図２の保守管理制御部が動作履歴ログファイルをログ保存媒体へ記録する際の実施例３についてのフローチャートを示す図である。
【図８】第２の実施形態に係る映像収録再生装置を備える放送番組送出システムの構成例を示す図である。
【図９】図８の映像収録再生装置の機能構成を示すブロック図である。
【図１０】図９の保守管理制御部が動作履歴ログファイルを管理する際の実施例１についてのフローチャート示す図である。
【図１１】図９の保守管理制御部が動作履歴ログファイルを管理する際の実施例２についてのフローチャートを示す図である。
【図１２】図９の保守管理制御部が付す、動作履歴ログファイルのファイル名の例を示す図である。
【図１３】図８の外部サーバの内部領域が映像収録再生装置毎に割り当てられる場合の例を示す図である。
【発明を実施するための形態】
【００１０】
以下、実施の形態について、図面を参照して説明する。
【００１１】
（第１の実施形態）  
図１は、第１の実施形態に係る映像収録再生装置１０を備える放送番組送出システムの構成例を示す模式図である。図１に示す放送番組送出システムは、映像収録再生装置１０、ビデオカメラ２０、再生デッキ３０、編集機４０、操作端末５０、モニタ６０及び放送設備７０を具備する。
【００１２】
ビデオカメラ２０は、撮影により取得した映像信号を映像収録再生装置１０へ出力する。
【００１３】
再生デッキ３０には、映像データが記録された映像記録メディア３１が挿入される。映像データとは、映像信号が予め設定された所定の符号化方式により符号化されたものである。再生デッキ３０は、映像記録メディア３１から映像データを読み出し、映像信号に変換して映像収録再生装置１０へ出力する。
【００１４】
編集機４０は、ユーザからの要求に従い、映像収録再生装置１０に蓄積されている映像データを読み出す。ユーザは、編集機４０により、読み出した映像データを編集する。編集機４０は、編集済みの映像データを映像収録再生装置１０へ出力する。
【００１５】
操作端末５０は、ユーザからの要求に従い、映像収録再生装置１０に蓄積されている映像データを読み出す。また、操作端末５０は、ユーザの指示に従い、映像収録再生装置１０へ制御信号を出力する。
【００１６】
モニタ６０は、映像収録再生装置１０から出力される映像信号を受信する。ここでの映像信号は、映像収録再生装置１０に蓄積されている映像データが復号されたものである。モニタ６０は、映像収録再生装置１０からの映像信号を表示する。ユーザは、モニタ６０の表示を見て、編集処理の必要性等を確認する。
【００１７】
放送設備７０は、映像収録再生装置１０から出力される映像信号を受信する。放送設備７０は、映像収録再生装置１０からの映像信号を、放送サービスを提供するエリアへ向けて送信する。
【００１８】
映像収録再生装置１０は、少なくとも一つの筐体を備え、その筐体内に複数の処理ユニットを収容する。映像収録再生装置１０は、処理ユニットを接続用のボードでソケット又はケーブルにより接続する。ここで、処理ユニットとは、映像収録再生装置１０に要求される処理に応じて収容されるもので、それぞれにＣＰＵ（Central Processing Unit）が実装されている。映像収録再生装置１０は、要求される性能に応じて、筐体内の処理ユニット数及び筐体自体を増減可能である。なお、各処理ユニットは、種々の要求性能に応えるため、柔軟な拡張性を満たしている。
【００１９】
図２は、図１の映像収録再生装置１０の機能構成を示すブロック図である。図２に示す映像収録再生装置１０は、収録ユニット１１、記録ユニット１２、再生ユニット１３、制御ユニット１４及び保守管理ユニット１５を備える。なお、図２では、それぞれのユニットが一つずつ搭載されるように示しているが、各ユニットは一つであるとは限らない。映像収録再生装置１０が要求される性能に応じて、各ユニットのいずれかは複数搭載されても構わない。例えば、外部から供給される複数チャンネルの映像信号を収録する必要がある場合、映像収録再生装置１０は、チャンネル数分の収録ユニット１１を搭載する。また、複数チャンネルの映像信号を同時に再生する必要がある場合には、映像収録再生装置１０は、チャンネル数分の再生ユニット１３を搭載する。
【００２０】
収録ユニット１１は、ビデオカメラ２０及び再生デッキ３０等が接続され、ビデオカメラ２０及び再生デッキ３０からの映像信号を受信する。収録ユニット１１は、エンコーダ１１１、ＣＰＵ１１２、メモリ１１３及びインタフェース部１１４を備える。
【００２１】
エンコーダ１１１は、収録制御部１１２１の収録制御に従い、供給された映像信号を予め設定された符号化方式を用いて符号化する。エンコーダ１１１は、符号化した映像データをＣＰＵ１１２へ出力する。
【００２２】
ＣＰＵ１１２は、アプリケーション・プログラムを実行することで、収録制御部１１２１及び動作履歴ログ処理部１１２２を実現する。
【００２３】
収録制御部１１２１は、制御ユニット１４からの制御信号に従って収録ユニット１１による収録動作を制御するものである。
【００２４】
動作履歴ログ処理部１１２２は、収録制御部１１２１による動作の状況に基づいて動作履歴ログを生成する。例えば、動作履歴ログ処理部１１２２は、収録制御部１１２１が、エンコーダ１１１に映像信号の符号化処理を実行させた場合、そのことを示す動作履歴ログを生成する。動作履歴ログ処理部１１２２は、生成した動作履歴ログをメモリ１１３へ記録する。
【００２５】
動作履歴ログ処理部１１２２は、メモリ１１３に予め設定された容量の動作履歴ログが蓄積されると、蓄積された動作履歴ログから動作履歴ログファイルを作成する。このとき、動作履歴ログ処理部１１２２は、動作履歴ログファイルに自ユニットを識別可能な識別子を付す。動作履歴ログ処理部１１２２は、作成した動作履歴ログファイルをインタフェース部１１４へ出力する。
【００２６】
インタフェース部１１４は、バスと収録ユニット１１とを接続するものである。インタフェース部１１４は、動作履歴ログファイルをバスを介して保守管理ユニット１５へ出力する。また、インタフェース部１１４は、エンコーダ１１１で符号化された映像データをバスへ出力する。
【００２７】
記録ユニット１２は、インタフェース部１２１、ＣＰＵ１２２、メモリ１２３及び記録媒体１２４を備える。
【００２８】
インタフェース部１２１は、バスと記録ユニット１２とを接続するものである。インタフェース部１２１は、収録ユニット１１で収録された映像データをバスを介して受け取り、ＣＰＵ１２２へ出力する。また、インタフェース部１２１は、記録媒体１２４から読み出された映像データをバスへ出力する。また、インタフェース部１２１は、ＣＰＵ１２２で作成された動作履歴ログファイルをバスを介して保守管理ユニット１５へ出力する。
【００２９】
ＣＰＵ１２２は、アプリケーション・プログラムを実行することで、記録制御部１２２１及び動作履歴ログ処理部１２２２を実現する。
【００３０】
記録制御部１２２１は、制御ユニット１４からの制御信号に従って、記録ユニット１２による映像データの書込み／読出し動作を制御するものである。
【００３１】
動作履歴ログ処理部１２２２は、収録制御部１２２１による動作の状況に基づいて動作履歴ログを生成する。例えば、動作履歴ログ処理部１２２２は、収録制御部１２２１が、記録媒体１２４へ映像データを書き込んだ場合、そのことを示す動作履歴ログを生成する。また、動作履歴ログ処理部１２２２は、収録制御部１２２１が、記録媒体１２４から映像データを読み出した場合、そのことを示す動作履歴ログを生成する。動作履歴ログ処理部１２２２は、生成した動作履歴ログをメモリ１２３へ記録する。
【００３２】
動作履歴ログ処理部１２２２は、メモリ１２３に予め設定された容量の動作履歴ログが蓄積されると、蓄積された動作履歴ログから動作履歴ログファイルを作成する。このとき、動作履歴ログ処理部１２２２は、動作履歴ログファイルに自ユニットを識別可能な識別子を付す。動作履歴ログ処理部１２２２は、作成した動作履歴ログファイルをインタフェース部１２１へ出力する。
【００３３】
記録媒体１２４は、フラッシュメモリ等の不揮発性の半導体メモリを備え、記録制御部１２２１の書込み制御に従い、映像データを半導体メモリへ書き込む。また、記録媒体１２４は、記録制御部１２２１の読出し制御に従い、半導体メモリから映像データを読み出す。記録媒体１２４は、読み出した映像データをＣＰＵ１２２を介してインタフェース部１２１へ出力する。
【００３４】
再生ユニット１３は、インタフェース部１３１、ＣＰＵ１３２、メモリ１３３及びデコーダ１３４を備える。
【００３５】
インタフェース部１３１は、バスと記録ユニット１２とを接続するものである。インタフェース部１３１は、収録ユニット１１で収録された映像データ及び／又は記録ユニット１２から読み出された映像データをバスを介して受け取り、ＣＰＵ１３２へ出力する。また、インタフェース部１３１は、ＣＰＵ１３２で作成された動作履歴ログファイルをバスを介して保守管理ユニット１５へ出力する。
【００３６】
ＣＰＵ１３２は、アプリケーション・プログラムを実行することで、再生制御部１３２１及び動作履歴ログ処理部１３２２を実現する。
【００３７】
再生制御部１３２１は、制御ユニット１４からの制御信号に従って、再生ユニット１３による映像データの再生動作を制御するものである。
【００３８】
動作履歴ログ処理部１３２２は、再生制御部１３２１による動作の状況に基づいて動作履歴ログを生成する。例えば、動作履歴ログ処理部１３２２は、再生制御部１３２１が、デコーダ１３４に映像データを復号化させた場合、そのことを示す動作履歴ログを生成する。動作履歴ログ処理部１３２２は、生成した動作履歴ログをメモリ１３３へ記録する。
【００３９】
動作履歴ログ処理部１３２２は、メモリ１３３に予め設定された容量の動作履歴ログが蓄積されると、蓄積された動作履歴ログから動作履歴ログファイルを作成する。このとき、動作履歴ログ処理部１３２２は、動作履歴ログファイルに自ユニットを識別可能な識別子を付す。動作履歴ログ処理部１３２２は、作成した動作履歴ログファイルをインタフェース部１３１へ出力する。
【００４０】
デコーダ１３４は、再生制御部１３２１の再生制御に従い、映像データを予め設定された復号化方式に従って復号化する。デコーダ１３４は、復号化した映像信号を外部へ出力する。
【００４１】
制御ユニット１４は、インタフェース部１４１、ＣＰＵ１４２及びメモリ１４３を備える。
【００４２】
インタフェース部１４１は、バスと制御ユニット１４とを接続するものである。インタフェース部１４１は、ＣＰＵ１４２からの制御信号をバスへ出力する。また、インタフェース部１４１は、ＣＰＵ１４２で作成された動作履歴ログファイルをバスを介して保守管理ユニット１５へ出力する。
【００４３】
ＣＰＵ１４２は、アプリケーション・プログラムを実行することで、ユニット制御部１４２１及び動作履歴ログ処理部１４２２を実現する。
【００４４】
ユニット制御部１４２１は、映像収録再生装置１０内のユニット、例えば、収録ユニット１１、記録ユニット１２、再生ユニット１３及び保守管理ユニット１５の動作を制御するものである。
【００４５】
動作履歴ログ処理部１４２２は、ユニット制御部１４２１による動作の状況に基づいて動作履歴ログを生成する。例えば、動作履歴ログ処理部１４２２は、ユニット制御部１４２１が、収録ユニット１１の動作を制御した場合、そのことを示す動作履歴ログを生成する。動作履歴ログ処理部１４２２は、生成した動作履歴ログをメモリ１４３へ記録する。
【００４６】
動作履歴ログ処理部１４２２は、メモリ１４３に予め設定された容量の動作履歴ログが蓄積されると、蓄積された動作履歴ログから動作履歴ログファイルを作成する。このとき、動作履歴ログ処理部１４２２は、動作履歴ログファイルに自ユニットを識別可能な識別子を付す。動作履歴ログ処理部１４２２は、作成した動作履歴ログファイルをインタフェース部１４１へ出力する。
【００４７】
保守管理ユニット１５は、インタフェース部１５１、ＣＰＵ１５２及びログ保存媒体１５３を備える。
【００４８】
インタフェース部１５１は、バスと保守管理ユニット１５とを接続するものである。インタフェース部１５１は、各ユニットからの動作履歴ログファイルをバスを介して受信する。
【００４９】
ＣＰＵ１５２は、アプリケーション・プログラムを実行することで、保守管理制御部１５２１を実現する。保守管理制御部１５２１は、各ユニットからの動作履歴ログファイルをログ保存媒体１５３へ記録する制御を行う。
【００５０】
以下に、保守管理制御部１５２１が動作履歴ログファイルをログ保存媒体１５３へ記録する際の制御を詳細に説明する。
【００５１】
（実施例１）
図３は、保守管理制御部１５２１が動作履歴ログファイルをログ保存媒体１５３へ記録する際の実施例１についてのフローチャートを示す図である。
【００５２】
まず、保守管理制御部１５２１は、各ユニットから動作履歴ログファイルを受信する（ステップＳ３１）。保守管理制御部１５２１は、ログ保存媒体１５３の空き容量の有無を確認する（ステップＳ３２）。ログ保存媒体１５３に空きがない場合（ステップＳ３２のＮｏ）、保守管理制御部１５２１は、ログ保存媒体１５３に記録される動作履歴ログファイルのうち、最も古い動作履歴ログファイルを検索する（ステップＳ３３）。ログ保存媒体１５３に空きがある場合（ステップＳ３２のＹｅｓ）、保守管理制御部１５２１は、受信した動作履歴ログファイルをログ保存媒体１５３の空き部分へ記録する（ステップＳ３４）。
【００５３】
保守管理制御部１５２１は、ステップＳ３３で検索した最も古い動作履歴ログファイルを削除し、空き容量を作成する（ステップＳ３５）。そして、保守管理制御部１５２１は、処理をステップＳ３４へ移行する。
【００５４】
このように、保守管理制御部１５２１は、ログ保存媒体１５３が一杯の状態で、新たな動作履歴ログファイルを受信すると、ログ保存媒体１５３から最も古い動作履歴ログファイルを削除する。そして、保守管理制御部１５２１は、新たな動作履歴ログファイルをログ保存媒体１５３の空き部分へ書き込むようにしている。このため、ログ保存媒体１５３には、常に最新の動作履歴ログが保存されることとなる。
【００５５】
（実施例２）
図４は、保守管理制御部１５２１が動作履歴ログファイルをログ保存媒体１５３へ記録する際の実施例２についてのフローチャートを示す図である。実施例２では、保守管理制御部１５２１は、ログ保存媒体１５３の内部の記録領域を、図５で示すようにユニットの種類毎に割り当てる。すなわち、保守管理制御部１５２１は、ログ保存媒体１５３を、収録処理用領域１５３１、記録処理用領域１５３２、再生処理用領域１５３３及び制御処理用領域１５３４に分割する。
【００５６】
まず、保守管理制御部１５２１は、各ユニットから動作履歴ログファイルを受信すると（ステップＳ４１）、動作履歴ログファイルに付された識別子を参照し、受信した動作履歴ログファイルの送信元のユニットの処理の種類を判断する（ステップＳ４２）。送信元のユニットの処理の種類が収録処理である場合には、保守管理制御部１５２１は、ログ保存媒体１５３の収録処理用領域１５３１に空きがあるかどうかを判断する（ステップＳ４３）。収録処理用領域１５３１に空きがない場合（ステップＳ４３のＮｏ）、保守管理制御部１５２１は、収録処理用領域１５３１に記録される動作履歴ログファイルのうち、最も古い動作履歴ログファイルを検索する（ステップＳ４４）。収録処理用領域１５３１に空きがある場合（ステップＳ４３のＹｅｓ）、保守管理制御部１５２１は、受信した動作履歴ログファイルを収録処理用領域１５３１の空き部分へ記録する（ステップＳ４５）。
【００５７】
保守管理制御部１５２１は、ステップＳ４４で検索した最も古い動作履歴ログファイルを削除し、空き容量を作成する（ステップＳ４６）。そして、保守管理制御部１５２１は、処理をステップＳ４５へ移行する。
【００５８】
ステップＳ４２で、送信元のユニットの処理の種類が記録処理であると判断した場合、保守管理制御部１５２１は、ステップＳ４３〜４６と同様の処理を行い（ステップＳ４７〜４１０）、記録処理の動作履歴ログファイルを記録処理用領域１５３２へ記録する。
【００５９】
また、ステップＳ４２で、送信元のユニットの処理の種類が再生処理であると判断した場合、保守管理制御部１５２１は、ステップＳ４３〜４６と同様の処理を行い（ステップＳ４１１〜４１４）、再生処理の動作履歴ログファイルを再生処理用領域１５３３へ記録する。
【００６０】
また、ステップＳ４２で、送信元のユニットの処理の種類が制御処理であると判断した場合、保守管理制御部１５２１は、ステップＳ４３〜４６と同様の処理を行い（ステップＳ４１５〜４１８）、制御処理の動作履歴ログファイルを制御処理用領域１５３４へ記録する。
【００６１】
このように、保守管理制御部１５２１は、ログ保存媒体１５３が一杯の状態で、新たな動作履歴ログファイルを受信すると、受信した動作履歴ログファイルの送信元のユニットの種類に応じた動作履歴ログファイルのうち、最も古い動作履歴ログファイルを検索する。そして、保守管理制御部１５２１は、この最も古い動作履歴ログファイルを削除し、新たな動作履歴ログファイルを書き込むようにしている。これにより、使用頻度の高い処理の動作履歴ログファイルのみが記録され、その他の処理の動作履歴ログファイルが消去されるのを防ぐことが可能となる。例えば、再生処理ばかり行なわれた場合に、収録処理及び記録処理部の動作履歴ログファイルが、再生処理の動作履歴ログファイルにより上書きされるのを防ぐことが可能となる。
【００６２】
（実施例３）
また、図５では、収録処理用領域１５３１、記録処理用領域１５３２、再生処理用領域１５３３及び制御処理用領域１５３４を同じ容量としているが、処理の種類が同一であるユニットの数に応じて、これらの領域の容量を自動的に増減させても良い。この場合、各ユニットは、映像収録再生装置１０の起動時に、保守管理ユニット１５へ、起動したことを通知する。保守管理制御部１５２１は、受信した起動通知の数を処理の種類毎にカウントし、ログ保存媒体１５３の容量をその数に応じて割り当てる。すなわち、映像収録再生装置１０に、ａ個の収録ユニット１１、ｂ個の記録ユニット１２、ｃ個の再生ユニット１３及び、ｄ個の制御ユニット１４が搭載されている場合、映像収録再生装置１０は起動時に、収録処理についてはａ個の起動通知を受信し、記録処理についてはｂ個の起動通知を受信し、再生処理についてはｃ個の起動通知を受信し、制御処理についてはｄ個の起動通知を受信する。保守管理制御部１５２１は、受信した起動通知の数に基づいて、各処理用の領域の容量を、以下のように算出する。
【００６３】
収録処理用領域の容量＝（全容量）×ａ／（ａ＋ｂ＋ｃ＋ｄ）
記録処理用領域の容量＝（全容量）×ｂ／（ａ＋ｂ＋ｃ＋ｄ）
再生処理用領域の容量＝（全容量）×ｃ／（ａ＋ｂ＋ｃ＋ｄ）
制御処理用領域の容量＝（全容量）×ｄ／（ａ＋ｂ＋ｃ＋ｄ）
図６は、収録ユニット１１が２個、記録ユニット１２が１個、再生ユニット１３が４個、制御ユニット１４が１個の場合のログ保存媒体１５３内の領域を模式的に示す図である。なお、各領域では、記録できる動作履歴ログファイルの数が、ユニット毎に予め設定されている。例えば、図６では、収録ユニット１１が２個搭載されているため、収録処理用領域１５３１には、ユニット毎に１０個ずつ、計２０個の動作履歴ログファイルが記録される。
【００６４】
図７は、保守管理制御部１５２１が動作履歴ログファイルをログ保存媒体１５３へ記録する際の実施例３についてのフローチャートを示す図である。実施例３では、保守管理制御部１５２１は、ログ保存媒体１５３の内部の記録領域を、図６で示すようにユニットの種類毎に割り当てる。
【００６５】
まず、保守管理制御部１５２１は、各ユニットから動作履歴ログファイルを受信すると（ステップＳ７１）、動作履歴ログファイルに付された識別子を参照し、受信した動作履歴ログファイルの送信元のユニットの処理の種類を判断する（ステップＳ７２）。送信元のユニットの処理の種類が収録処理である場合には、保守管理制御部１５２１は、ログ保存媒体１５３の収録処理用領域１５３１に空きがあるかどうかを判断する（ステップＳ７３）。収録処理用領域１５３１に空きがない場合（ステップＳ７３のＮｏ）、識別子を参照して、送信元のユニットを特定する（ステップＳ７４）。収録処理用領域１５３１に空きがある場合（ステップＳ７３のＹｅｓ）、保守管理制御部１５２１は、受信した動作履歴ログファイルを収録処理用領域１５３１の空き部分へ記録する（ステップＳ７５）。
【００６６】
保守管理制御部１５２１は、ステップＳ７４の後、収録処理用領域１５３１に記録される動作履歴ログファイルのうち、ステップＳ７４で特定されたユニットについての最も古い動作履歴ログファイルを検索する（ステップＳ７６）。保守管理制御部１５２１は、検索した最も古い動作履歴ログファイルを削除し、空き容量を作成する（ステップＳ７７）。そして、保守管理制御部１５２１は、処理をステップＳ７５へ移行する。
【００６７】
ステップＳ７２で、送信元のユニットの処理の種類が記録処理であると判断した場合、保守管理制御部１５２１は、ステップＳ７３〜７７と同様の処理を行い（ステップＳ７８〜７１２）、記録処理の動作履歴ログファイルを記録処理用領域１５３２へ記録する。
【００６８】
また、ステップＳ７２で、送信元のユニットの処理の種類が再生処理であると判断した場合、保守管理制御部１５２１は、ステップＳ７３〜７７と同様の処理を行い（ステップＳ７１３〜７１７）、再生処理の動作履歴ログファイルを再生処理用領域１５３３へ記録する。
【００６９】
また、ステップＳ７２で、送信元のユニットの処理の種類が制御処理であると判断した場合、保守管理制御部１５２１は、ステップＳ７３〜７７と同様の処理を行い（ステップＳ７１８〜７２２）、制御処理の動作履歴ログファイルを制御処理用領域１５３４へ記録する。
【００７０】
このように、保守管理制御部１５２１は、ログ保存媒体１５３が一杯の状態で、新たな動作履歴ログファイルを受信すると、受信した動作履歴ログファイルの送信元のユニットについての動作履歴ログファイルのうち、最も古い動作履歴ログファイルを検索する。そして、保守管理制御部１５２１は、この最も古い動作履歴ログファイルを削除し、新たな動作履歴ログファイルを書き込むようにしている。これにより、ユニット毎に、予め設定された数の動作履歴ログファイルを保持することが可能となる。
【００７１】
したがって、第１の実施形態に係る映像収録再生装置１０によれば、ログ保存媒体１５３の容量に制限されず、各ユニット１１〜１４から出力される動作履歴ログファイルを一括して管理することができる。
【００７２】
（第２の実施形態）  
図８は、第２の実施形態に係る映像収録再生装置８０を備える放送番組送出システムの構成例を示す模式図である。図８に示す放送番組送出システムは、映像収録再生装置８０−１〜８０−３及び外部サーバ９０を具備する。なお、図８では示していないが、映像収録再生装置８０−１〜８０−３は、図２の映像収録再生装置１０と同様に、ビデオカメラ２０、再生デッキ３０、編集機４０、操作端末５０、モニタ６０及び放送設備７０が接続される。
【００７３】
外部サーバ９０は、映像収録再生装置８０−１〜８０−３の外部に設置される汎用のファイルサーバである。ファイルサーバは、例えばＦＴＰサーバ等であり、映像収録再生装置８０−１〜８０−３のログ保存媒体よりも大きな容量を有する。外部サーバ９０は、映像収録再生装置８０−１〜８０−３から供給される動作履歴ログファイルを記録する。なお、外部サーバ９０は、映像収録再生装置８０−１〜８０−３で共有される大型ハードディスクであっても構わない。
【００７４】
図９は、第２の実施形態に係る映像収録再生装置８０の機能構成を示すブロック図である。なお、映像収録再生装置８０−１〜８０−３の構造はそれぞれ同様であるため、以下では、映像収録再生装置８０として説明する。また、図９において図２と共通する部分には同じ符号を付して示し、ここでは異なる部分についてのみ説明する。
【００７５】
図９に示す映像収録再生装置８０は、収録ユニット１１、記録ユニット１２、再生ユニット１３、制御ユニット１４及び保守管理ユニット１６を備える。
【００７６】
保守管理ユニット１６は、インタフェース部１６１、ＣＰＵ１６２、ログ保存媒体１６３及び外部出力部１６４を備える。
【００７７】
インタフェース部１６１は、バスと保守管理ユニット１６とを接続するものである。インタフェース部１６１は、各ユニットからの動作履歴ログファイルをバスを介して受信する。
【００７８】
外部出力部１６４は、保守管理制御部１６２１の制御に従い、動作履歴ログファイルを外部サーバ９０へ出力する。
【００７９】
ＣＰＵ１６２は、アプリケーション・プログラムを実行することで、保守管理制御部１６２１を実現する。保守管理制御部１６２１は、各ユニットからの動作履歴ログファイルのログ保存媒体１６３への記録を制御する。また、保守管理制御部１６２１は、動作履歴ログファイルの外部への出力を制御する。
【００８０】
以下に、保守管理制御部１６２１が動作履歴ログファイルを保守管理する際の処理を詳細に説明する。
【００８１】
（実施例１）
図１０は、保守管理制御部１６２１が動作履歴ログファイルをログ保存媒体１６３へ記録し、外部出力部１６４から外部サーバ９０へ出力する際の実施例１についてのフローチャート示す図である。
【００８２】
まず、保守管理制御部１６２１は、各ユニットから動作履歴ログファイルを受信する（ステップＳ１０１）。保守管理制御部１６２１は、ログ保存媒体１６３の空き容量の有無を確認する（ステップＳ１０２）。ログ保存媒体１６３に空きがない場合（ステップＳ１０２のＮｏ）、保守管理制御部１６２１は、ログ保存媒体１６３に記録される動作履歴ログファイルのうち、最も古い動作履歴ログファイルを検索する（ステップＳ１０３）。ログ保存媒体１６３に空きがある場合（ステップＳ１０２のＹｅｓ）、保守管理制御部１６２１は、受信した動作履歴ログファイルをログ保存媒体１６３へ記録する（ステップＳ１０４）。
【００８３】
保守管理制御部１６２１は、ステップＳ１０３で検索した最も古い動作履歴ログファイルを削除し、空き容量を作成する（ステップＳ１０５）。そして、保守管理制御部１６２１は、処理をステップＳ１０４へ移行する。
【００８４】
保守管理制御部１６２１は、ステップＳ１０４で動作履歴ログファイルをログ保存媒体１６３へ書き込むと、書き込んだ動作履歴ログファイルを外部サーバ９０へ出力するように外部出力部１６４へ指示を出す（ステップＳ１０６）。
【００８５】
このように、保守管理制御部１６２１は、ログ保存媒体１６３に書き込んだ動作履歴ログファイルと同一の動作履歴ログファイルを、外部サーバ９０へ出力するようにしている。つまり、ログ保存媒体１６３及び外部サーバ９０に記録される動作履歴ログファイルの内容は一致することとなる。これにより、動作履歴ログファイルを参照する必要がある場合には、直近の動作履歴ログファイルであれば、ログ保存媒体１６３及び外部サーバ９０のいずれの動作履歴ログファイルを参照しても良いため、保守性が向上する。
【００８６】
また、動作履歴ログファイルは、ログ保存媒体１６３よりも大きな容量を有する外部サーバ９０に記録されることとなる。これにより、動作履歴ログファイルをより大容量かつ長期間保存することが可能となるため、過去の長期間に渡る動作状況を確認することが可能となる。
【００８７】
また、映像収録再生装置８０−１〜８０−３でそれぞれ管理されていた動作履歴ログファイルを外部サーバ９０で一括して管理するようにしている。これにより、システム全体の動作確認をする際に、映像収録再生装置８０−１〜８０−３の動作履歴ログファイルを効率的に収集することが可能となるため、保守作業の効率が向上することとなる。
【００８８】
また、保守管理制御部１６２１は、外部サーバ９０への動作履歴ログファイルの出力を、ログ保存媒体１６３へ記録させる際と同様にファイル形式で行うようにしている。これにより、動作履歴ログファイルの外部サーバ９０での取り扱いが容易となる。
【００８９】
（実施例２）
図１１は、保守管理制御部１６２１が動作履歴ログファイルをログ保存媒体１６３へ記録し、外部出力部１６４から外部サーバ９０へ出力する際の実施例２についてのフローチャートを示す図である。実施例２に係る保守管理制御部１６２１は、ログ保存媒体１６３に動作履歴ログファイルを記録するか否か、動作履歴ログファイルを外部サーバ９０へ出力するか否かが、外部からの指示により予め設定されている。
【００９０】
まず、保守管理制御部１６２１は、各ユニットから動作履歴ログファイルを受信する（ステップＳ１１１）。保守管理制御部１６２１は、動作履歴ログファイルをログ保存媒体１６３へ記録するか否かを判断する（ステップＳ１１２）。記録する場合（ステップＳ１１２のＹｅｓ）、保守管理制御部１６２１は、図１０のステップＳ１０２〜１０５と同様の制御を行い（ステップＳ１１３〜１１６）、外部サーバ９０へ動作履歴ログファイルを出力するか否かを判断する（ステップＳ１１７）。動作履歴ログファイルをログ保存媒体１６３へ記録しない場合（ステップＳ１１２のＮｏ）、保守管理制御部１６２１は、処理をステップＳ１１７へ移行する。
【００９１】
ステップＳ１１７において、外部サーバ９０へ動作履歴ログファイルを出力する場合（ステップＳ１１７のＹｅｓ）、保守管理制御部１６２１は、受信した動作履歴ログファイルを外部サーバ９０へ出力するように外部出力部１６４へ指示を出す（ステップＳ１１８）。外部サーバ９０へ動作履歴ログファイルを出力しない場合（ステップＳ１１７のＮｏ）、保守管理制御部１６２１は、処理を終了する。
【００９２】
このように、ログ保存媒体１６３に動作履歴ログファイルを書き込むか否か、及び、外部出力部１６４から動作履歴ログファイルを出力するか否かが予め設定されており、保守管理制御部１６２１は、これらの設定に従って動作履歴ログファイルを管理するようにしている。これにより、例えば、ログ保存媒体１６３の残容量が少ない場合には、ログ保存媒体１６３へは動作履歴ログファイルを記録させず、外部サーバ９０のみに記録させることが可能となる。また、外部サーバ９０へ動作履歴ログファイルを出力する必要がない場合には、ログ保存媒体１６３へのみ動作履歴ログファイルを記録させることが可能となる。
【００９３】
なお、上記実施例２では、ログ保存媒体１６３に動作履歴ログファイルを記録するか否か、及び、動作履歴ログファイルを外部サーバ９０へ出力するか否かが、外部からの指示により予め設定される場合を例に説明した。しかしながら、これに限定される訳ではない。例えば、ログ保存媒体１６３に動作履歴ログファイルを記録するか否か、及び、動作履歴ログファイルを外部サーバ９０へ出力するか否か、のいずれか一方が、外部からの指示により予め設定されていても構わない。
【００９４】
また、上記実施例１及び実施例２では、保守管理制御部１６２１は、外部出力部１６４から出力される動作履歴ログファイルのファイル名称に映像収録再生装置８０を識別可能な文字列を含むようにしても構わない。例えば、映像収録再生装置８０−１〜８０−３それぞれに、重複しない管理番号及び／又は名称を予め設定する。そして、保守管理制御部１６２１は、外部出力部１６４から動作履歴ログファイルを出力する際には、その管理番号又は名称をファイル名に含むようにする。図１２は、動作履歴ログファイルのファイル名の例を示す図である。図１２では、映像収録再生装置８０−１にはＳｅｒｖｅｒ１、映像収録再生装置８０−２にはＳｅｒｖｅｒ２、映像収録再生装置８０−３にはＳｅｒｖｅｒ３が設定され、それぞれから出力される動作履歴ログファイルには、Ｓｅｒｖｅｒ１ｘｘｘｘｘｘ．ｌｏｇ、Ｓｅｒｖｅｒ２ｘｘｘｘｘｘ．ｌｏｇ、Ｓｅｒｖｅｒ３ｘｘｘｘｘｘ．ｌｏｇのように送信元を識別できるファイル名が付される。
【００９５】
また、映像収録再生装置８０−１〜８０−３と、外部サーバ９０とが、ＩＰネットワークにより接続されている場合、映像収録再生装置８０−１〜８０−３には異なるＩＰアドレスが割り振られている。保守管理制御部１６２１は、割り振られているＩＰアドレスを利用して、ファイル名を決定しても構わない。
【００９６】
これにより、複数の映像収録再生装置が外部サーバ９０へ接続されている場合であっても、外部サーバ９０上で、どの映像収録再生装置からの動作履歴ログファイルであるかを識別することが可能となる。
【００９７】
また、上記実施例１及び実施例２では、外部サーバ９０の内部を複数の領域に分けておき、それぞれの領域を映像収録再生装置８０−１〜８０−３それぞれに対応付けておいても構わない。このとき、保守管理制御部１６２１は、動作履歴ログファイルのファイル名を、各装置を識別可能な名称を含めて設定する。図１３は、外部サーバ９０が映像収録再生装置８０−１〜８０−３に対応して分配される際の例を示す図である。
【００９８】
また、第２の実施形態でも、ログ保存媒体１６３の内部領域を図５のようにユニットの処理の種類毎に割り当てても良い。このとき、保守管理制御部１６２１は、図４に示す処理に、図１０又は図１１を適用させた処理を行う。
【００９９】
また、ログ保存媒体１６３の内部領域を図６のようにユニットの処理の種類毎に割り当てても良い。このとき、保守管理制御部１６２１は、図７に示す処理に、図１０又は図１１を適用させた処理を行う。これにより、動作履歴ログファイルをログ保存媒体１６３へ記録するか、及び、外部サーバ９０へ出力するかを、処理毎に設定することが可能となる。そのため、保守効率がさらに向上することとなる。
【０１００】
（その他の実施形態）
なお、上記第１及び第２の実施形態では、動作履歴ログ処理部１１２２，１２２２，１３２２，１４２２は、所定の容量の動作履歴ログが蓄積された場合、動作履歴ログファイルを作成する場合を例に説明したが、これに限定される訳ではない。例えば、動作履歴ログ処理部１１２２，１２２２，１３２２，１４２２は、メモリ１１３に動作履歴ログを記録してから予め設定した期間が経過すると、動作履歴ログファイルを作成するようにしても構わない。
【０１０１】
また、上記第１及び第２の実施形態では、映像収録再生装置１０，８０が、収録ユニット１１、記録ユニット１２、再生ユニット１３及び制御ユニット１４を備える場合を例に説明したが、これに限定される訳ではない。例えば、映像収録再生装置１０，８０は、収録ユニット１１、記録ユニット１２、再生ユニット１３及び制御ユニット１４の他にも様々なユニット、例えば、外部の操作端末５０からの制御信号を受信する外部制御ユニットや、映像収録再生装置が複数の筐体で構成される場合に、複数の筐体間を接続する外部バス接続ユニット等を備えていても構わない。
【０１０２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０３】
１０，８０−１〜８０−３…映像収録再生装置
１１…収録ユニット
１１１…エンコーダ
１１２，１２２，１３２，１４２，１５２，１６２…ＣＰＵ
１１２１…収録制御部
１１２２，１２２２，１３２２，１４２２…動作履歴ログ処理部
１１３，１２３，１３３，１４３…メモリ
１１４，１２１，１３１，１４１，１５１，１６１…インタフェース部（Ｉ／Ｆ）
１２…記録ユニット
１２２１…記録制御部
１２４…記録媒体
１３…再生ユニット
１３２１…再生制御部
１３４…デコーダ
１４…制御ユニット
１４２１…ユニット制御部
１５，１６…保守管理ユニット
１５２１，１６２１…保守管理制御部
１５３，１６３…ログ保存媒体
１６４…外部出力部
２０…ビデオカメラ
３０…再生デッキ
３１…映像記録メディア
４０…編集機
５０…操作端末
６０…モニタ
７０…放送設備
９０…外部サーバ
【図１】
0005395834.tif 000002
【図２】
0005395834.tif 000003
【図３】
0005395834.tif 000004
【図４】
0005395834.tif 000005
【図５】
0005395834.tif 000006
【図６】
0005395834.tif 000007
【図７】
0005395834.tif 000008
【図８】
0005395834.tif 000009
【図９】
0005395834.tif 000010
【図１０】
0005395834.tif 000011
【図１１】
0005395834.tif 000012
【図１２】
0005395834.tif 000013
【図１３】
0005395834.tif 000014